(57)【要約】【課題】構造が簡単で低コストで製造可能な分割構造の軒樋吊具を提供する。【解決手段】軒樋を支持する吊具本体２と、建物に取付固定される固定具１０とを備え、吊具本体２は、後部に円筒状の吊具支持部４を有し、その吊具支持部４の後端外周に係合突起４１，４２が設けられており、固定具１０は、前後に貫通する挿通孔１１およびその周縁に切欠き部１３，１４が形成されている軒樋吊具１であって、固定具１０の切欠き部１３，１４に吊具本体２の吊具支持部４の係合突起４１，４２を合わせて吊具本体２の吊具支持部４を固定具１０の挿通孔１１に差し込み、吊具支持部４の係合突起４１，４２が固定具１０の切欠き部１３，１４を挿通した状態で吊具支持部４の軸心を中心に吊具本体２を回動させることにより、吊具支持部４の係合突起４１，４２が固定具１０の挿通孔１１の縁部に係合して、吊具本体２と固定具１０とが連結固定される。【選択図】図１
2010229688.tif 000002
【特許請求の範囲】
【請求項１】
軒樋を支持する吊具本体と、この吊具本体に連結固定され、建物に取付固定される固定具とを備え、吊具本体は、後部に円筒状の吊具支持部を有し、その吊具支持部の後端外周に係合突起が設けられており、固定具は、吊具本体の吊具支持部が挿通可能な前後に貫通する挿通孔およびその周縁に吊具支持部の係合突起が挿通可能な切欠き部が形成されている軒樋吊具であって、
固定具の切欠き部に吊具本体の吊具支持部の係合突起を合わせて吊具本体の吊具支持部を固定具の挿通孔に差し込み、吊具支持部の係合突起が固定具の切欠き部を挿通した状態で吊具支持部の軸心を中心に吊具本体を回動させることにより、吊具支持部の係合突起が固定具の挿通孔の縁部に係合して、固定具に吊具本体が保持されて吊具本体と固定具とが連結固定されることを特徴とする軒樋吊具。
【請求項２】
吊具本体の吊具支持部の係合突起は、その吊具支持部の後端外周の相対する２箇所に突設され、一方の係合突起の周方向の長さが他方の係合突起よりも幅広に形成されており、固定具の切欠き部は、前記係合突起に対応して固定具の挿通孔周縁の相対する２箇所に形成され、一方の切欠き部の周方向の長さが他方の切欠き部よりも幅広に形成されていることを特徴とする請求項１に記載の軒樋吊具。
【発明の詳細な説明】
【技術分野】
【０００１】
本発明は、軒樋吊具に関するものである。
【背景技術】
【０００２】
軒樋吊具は、建物の軒先に配設された鼻隠し板等の表面に当接して釘、ビス等の固着具により固定される固定具の表面に、軒樋の前壁および後壁の上端に設けられた耳部等に係合して軒樋を支持する吊具本体が突設されたものが一般的である。軒樋吊具は、固定具において鼻隠し板等に固定されて取り付けられ、吊具本体において軒樋を吊持し、軒樋を建物の軒先に沿って取り付けることができる。このような軒樋吊具は、ポリカーボネートなどの耐候性の高い樹脂等により固定具と吊具本体とが一体に成形されている。
【０００３】
ところで、建物によっては鼻隠し板等が勾配をもって配設されていることもあり、この場合、軒樋を軒先に沿って水平に取り付けるためには、固定具に対する吊具本体の角度を変えた軒樋吊具が必要となる。しかしながら、鼻隠し板等の勾配に応じた軒樋吊具を製造するとなると、上記のように固定具と吊具本体が一体に成形される一体構造の軒樋吊具の場合、高価な大型の金型が必要である。また、製品自体が大きいために、成形後のヒケやバリ等も発生しやすいという問題もある。特に本出願人が特許文献１で提案しているようなビスを遊貫状態で仮保持するための仮保持部を設けたビス保持用リング等の省施工構造部材を固定具に付随させた軒樋吊具を２色成形で製造する場合、以上の問題は顕著となり、過大な設備投資を要する。図５は、吊具本体２と固定具１０とが一体に成形され、省施工構造部材１６を固定具１０に付随させた軒樋吊具１の一例である。
【０００４】
そこでこの問題を解決するために、鼻隠し板等に固定される取付部と軒樋を支持する吊部とを連結可能に分割した軒樋吊具が提案されている（例えば、特許文献２参照）。具体的は、取付部に蟻溝を設け、吊部に取付部の蟻溝に挿入される挿入部を設けて、吊部が取付部に着脱自在に取り付けられるようになっている。取付部と吊部とは別々に成形して製造されるので、金型を小型化することができる。しかしながら、この軒樋吊具は、取付部および吊部の挿入部のそれぞれに通孔を設けて、取付部の蟻溝に吊部の挿入部を挿入した状態でそれぞれの通孔の位置を合わせて、位置決めピンをその通孔に挿入することにより吊部を取付部に連結する構造とされており、製品としての構造が複雑であるため、金型の小型化が製造コストの低減に十分に反映されているとは言いがたい。
【先行技術文献】
【特許文献】
【０００５】
【特許文献１】特開２００７−２９１７４２号公報
【特許文献２】特開平１０−１４０７６４号公報
【発明の概要】
【発明が解決しようとする課題】
【０００６】
本発明は、以上の通りの事情に鑑みてなされたものであり、構造が簡単で低コストで製造可能な分割構造の軒樋吊具を提供することを課題としている。
【課題を解決するための手段】
【０００７】
本発明は、上記の課題を解決するために、以下のことを特徴としている。
【０００８】
第１には、軒樋を支持する吊具本体と、この吊具本体に連結固定され、建物に取付固定される固定具とを備え、吊具本体は、後部に円筒状の吊具支持部を有し、その吊具支持部の後端外周に係合突起が設けられており、固定具は、吊具本体の吊具支持部が挿通可能な前後に貫通する挿通孔およびその周縁に吊具支持部の係合突起が挿通可能な切欠き部が形成されている軒樋吊具であって、固定具の切欠き部に吊具本体の吊具支持部の係合突起を合わせて吊具本体の吊具支持部を固定具の挿通孔に差し込み、吊具支持部の係合突起が固定具の切欠き部を挿通した状態で吊具支持部の軸心を中心に吊具本体を回動させることにより、吊具支持部の係合突起が固定具の挿通孔の縁部に係合して、固定具に吊具本体が保持されて吊具本体と固定具とが連結固定される。
【０００９】
第２には、上記第１の発明において、吊具本体の吊具支持部の係合突起は、その吊具支持部の後端外周の相対する２箇所に突設され、一方の係合突起の周方向の長さが他方の係合突起よりも幅広に形成されており、固定具の切欠き部は、前記係合突起に対応して固定具の挿通孔周縁の相対する２箇所に形成され、一方の切欠き部の周方向の長さが他方の切欠き部よりも幅広に形成されている。
【発明の効果】
【００１０】
第１の発明によれば、吊具本体は後端外周に係合突起を設けた吊具支持部を有し、固定具は挿通孔とその周縁に切欠き部が設けられているという簡単な構造で吊具本体と固定具とを着脱可能に連結固定することができる。しかも、吊具本体の固定具への取り付けは、固定具の切欠き部に吊具支持部の係合突起を合わせて吊具本体の吊具支持部を固定具の挿通孔に差し込み、吊具支持部の係合突起が固定具の切欠き部を挿通した状態で吊具支持部の軸心を中心に吊具本体を回動させることによってなされるので、取付作業が容易であり、施工性が良好である。
【００１１】
また、軒樋吊具の構造が簡単であり、分割構造となっていて小型化されているので、成形不良等の発生が抑制され、かつ、設備投資を低減することができるとともに、梱包形態の縮小化を図ることができる。さらに多種類存在する軒樋吊具について、固定具の単一化、共用化が可能となり、製品単価の低減に寄与できる。
【００１２】
第２の発明によれば、一方の吊具本体の吊具支持部の係合突起およびそれに対応する固定具の切欠き部が他方の係合突起および切欠き部よりも幅広に形成されているので、位置合わせが容易であり、しかも組み間違いを防止でき、施工性がより向上する。
【図面の簡単な説明】
【００１３】
【図１】本発明の軒樋吊具の一実施形態を示した斜視図であり、吊具本体の固定具への取り付け手順を模式的に表している。
【図２】図１の軒樋吊具の固定具の平面図である。
【図３】図１の軒樋吊具で軒樋が支持されている状態の断面図である。
【図４】固定具の別の一実施形態を示した斜視図である。
【図５】従来の軒樋吊具の斜視図である。
【発明を実施するための形態】
【００１４】
図１は、本発明の軒樋吊具の一実施形態を示した斜視図であり、吊具本体の固定具への取り付け手順を模式的に表している。図２は、図１の軒樋吊具の固定具の平面図である。図３は、図１の軒樋吊具で軒樋が支持されている状態の断面図である。
【００１５】
以下、本発明の軒樋吊具の実施形態について図面を参照しながら説明する。なお、本実施形態において、「前」は「屋外側」を指し、「後」は「建物側」を指している。
【００１６】
本実施形態の軒樋吊具１は、軒樋９を支持する吊具本体２と、吊具本体２に連結固定され、鼻隠し板等の建物にビス、釘等の固着具で取付固定される固定具１０とを備えており、吊具本体２と固定具１０とはそれぞれ別体として構成されている。
【００１７】
吊具本体２は、鉛直または略鉛直方向に配置されて鼻隠し板に取付固定される固定具１０に対して前方に起立して連結されるものであり、吊部３とその後部に円筒状の吊具支持部４を有しており、ポリカーボネート等の樹脂材料で構成されている。
【００１８】
吊具本体２の吊部３は、前方先端が下方に一段下がる段部５が形成されており、その段部５に上下に貫通する連結孔６が形成され、その連結孔６に連結具７を挿通して軒樋９を支持する軒樋支持部８を連結している。軒樋支持部８は、固定具１０に対して前後方向にスライドして前後方向の任意の位置に位置決め可能にされて吊部３と連結することができる構成になっている。具体的には、軒樋支持部８を構成する水平板８１に前後方向に長い長孔が上下に貫通して形成され、この長孔の前後の任意の位置に吊部３の段部５の連結孔６が位置するように位置決めして連結具７を連結孔６および軒樋支持部８の水平板８１の長孔に挿通して吊部３と軒樋支持部８を連結、固定している。軒樋支持部８は、軒樋９を内側から支持することができるように、前端部上端には、軒樋９の前壁上端部に設けられた前耳部９１を係止して支持する前側係止部８２を有し、後端部下側には、軒樋９の後壁上端部に設けられた後耳部９２を係止して支持する後側係止部８３を有している。
【００１９】
なお、本実施形態では、吊具本体２の吊部３に軒樋支持部８を連結固定して、軒樋９をこの軒樋支持部８で支持する構成の吊具本体２について説明しているが、この構成に限定されず、例えば、吊具本体の吊部の前端部上端に軒樋の前壁上端部の前耳部を係止して支持する前側係止部を形成し、後端部下側に軒樋の後壁上端部の後耳部を係止して支持する後側係止部を形成して、軒樋を吊具で内側から支持する構成としてもよい。
【００２０】
吊具本体２の吊具支持部４は、吊部３の後面３ａに円筒体として形成されており、後述するように、固定具１０の挿通孔１１に差し込まれると吊具支持部４の外周面４ａが挿通孔１１の内周面１１ａに面当接して支持され、吊具本体２が固定具１０に保持される。吊具支持部４の後端外周の相対する左右２箇所には平板状の係合突起４１，４２が外側方向に突設されており、一方の係合突起４１の周方向の長さが他方の係合突起４２よりも幅広に形成されている。この吊具支持部４の前後方向の長さは、吊具支持部４が固定具１０の挿通孔１１に差し込まれた状態で吊具支持部４の後端および係合突起４１，４２が固定具１０の後面１０ａから突出しないように固定具１０の前後方向の厚さと同じかもしくはそれよりも短くなるように設定される。
【００２１】
以上の吊具本体２においては、軒樋９を軒先に水平に取り付けるために、鼻隠し板の勾配に応じて固定具１０に対する吊具本体２の吊部３の角度が設定される。鼻隠し板の勾配は、一般には、０寸勾配（勾配なし）、４寸（２１°）勾配、５寸（２６°）勾配、６寸（３１°）勾配等、ある程度決まっているため、これらの鼻隠し板の勾配に応じて、固定具１０に対する吊具本体２の吊部３の角度が異なる複数の吊具本体２が用意される。
【００２２】
固定具１０は、ポリカーボネート等の樹脂材料からなり、所定の厚みをもった略矩形の平板状の部材で構成され、鼻隠し板等の建物に固着具で取付固定される。固定具１０には、吊具本体２の吊具支持部４が挿通可能な挿通孔１１が前後に貫通して円形に形成されており、その挿通孔１１には段部１２が形成され、後面１０ａ側の孔径が吊具本体２の吊具支持部４の係合突起４１，４２が内側におさまるように挿通孔１１の孔径よりも一回り大きくなっている。吊具本体２の吊具支持部４が固定具１０の挿通孔１１に差し込まれると、吊具本体２の吊具支持部４の外周面４ａが挿通孔１１の内周面１１ａに面当接し、吊具本体２の吊具支持部４が挿通孔１１の内周面１１ａで支持され、吊部本体２が固定具１０に保持される。
【００２３】
固定具１０の挿通孔１１の周縁は、吊具本体２の吊具支持部４の係合突起４１，４２が挿通可能なように切り欠かれており、本実施形態では固定具１０の段部１２に前後に貫通する切欠き部１３，１４が設けられている。この切欠き部１３，１４は、挿通孔１１周縁の相対する上下２箇所に形成されており、吊具本体２の吊具支持部４の係合突起４１，４２に対応して一方の切欠き部１３の周方向の長さが他方の切欠き部１４よりも幅広に形成されている。
【００２４】
固定具１０の後面１０ａの左右両側および下部には、凹溝１５がコ字状に形成されており、後述する省施工構造部材１６を２色成形により固定具１０に付随させるための配置用として設けられている。
【００２５】
固定具１０の左右両側の凹溝１５には、それぞれ取付孔１７が前後に貫通して形成され、縦列して配置されている。取付孔１７は、用いる固着具の種類や外径などに応じ、また、位置調整などを可能とするために、互いに異なる形状とされている。一番上の取付孔１７は、その下の取付孔１７より直径の小さい円形孔とされている。一番下の取付孔１７は断面視で長孔状とされ、固着具の挿入位置を可変としている。
【００２６】
省施工構造部材１６は、吊具本体２を構成する樹脂材料よりも軟質の樹脂材料で構成されていることが好ましく、例えば、ポリプロピレン等の樹脂材料で構成されている。この省施工構造部材１６は、２色成形により固定具１０に形成されるものであり、板状の基台部１６１が凹溝１５に配置され、内側に固着具の貫通孔が形成された筒部１６２が取付孔１７の内周面に配置される。各筒部１６２には、固着具を遊貫状態で仮保持するための薄板状の突起片が仮留め部として内方に突設されており、貫通孔の孔径が固着具の外径よりも小さくなっている。このような省施工構造部材１６を付随させた軒樋吊具１は、建物への取付作業の際、予め固着具を筒部１６２の仮留め部に仮保持し、その状態で鼻隠し板に軒樋吊具１を取り付けて固着具を固着させ、軒樋吊具１を固定することができるので、高所で行われる軒樋吊具１の取付作業が容易となる。また、取付作業時に固着具の落下を防止でき、その結果、固着具の紛失を防止することができる。
【００２７】
以上の軒樋吊具１について、吊具本体２を固定具１０に連結固定するにあたっては、以下の手順で行われる。まず、固定具１０の切欠き部１３，１４に吊具本体２の吊具支持部４の係合突起４１，４２をそれぞれ合わせて吊具本体２の位置合わせを行う。固定具１０の吊具支持部４の係合突起４１は固定具１０の切欠き部１３に対応しており、係合突起４２は切欠き部１４にそれぞれ対応しているので、組み間違えはおこならない。固定具１０の切欠き部１３，１４に吊具本体２の吊具支持部４の係合突起４１，４２を合わせたときは、図１の上段の図に示すように、吊具本体２が固定具１０に対して建物側からみて左に略９０°回転した状態になる。次いで、その状態で吊具本体２の吊部３の後面３ａが固定具１０の前面１０ｂに当接するまで吊具本体２の吊具支持部４を固定具１０の挿通孔１１に差し込み、吊具支持部４の係合突起４１，４２が固定具１０の切欠き部１３，１４を挿通した状態で吊具支持部４の軸心を中心に吊具本体２を建物側からみて右回りに９０°回転させる。これによって、吊具本体２が軒樋９を支持可能な状態で吊具支持部４の係合突起４１，４２が固定具１０の挿通孔１１の縁部に係合する。本実施形態では固定具１０の段部１２に吊具支持部４の係合突起４１，４２が係合して、固定具１０に吊具本体２が保持されて固定具１０と吊具本体２とが連結固定される。固定具１０の段部１２に吊具支持部４の係合突起４１，４２を係止する係止突起を設けて、吊具本体２が建物側からみて右回りに９０°を超えて回転しないように前記係止突起をストッパーとして機能させてもよい。なお、以上の手順を逆の順序で行うことにより、簡単に分解することが可能である。
【００２８】
本実施形態の軒樋吊具１は、吊具本体２と固定具１０を連結固定して一体化した状態で鼻隠し板に取付固定してもよいが、固定具１０を鼻隠し板に取付固定した後、吊具本体２を固定具１０に連結固定するようにしてもよい。この場合、吊具本体２が固定具１０の鼻隠し板への取付作業の支障にならないので、施工性がより良好となる。
【００２９】
上記のとおり、吊具本体２は、固定具１０に対して吊具本体２の吊部３の角度が異なる複数の吊具本体２が用意され、鼻隠し板の勾配に応じて吊具本体２が選定されるが、固定具１０は鼻隠し板の勾配にかかわらず単一形状のもので対応可能であるため、固定具１０の単一化、共用化が可能となり、製品単価の低減に寄与できる。本実施形態では、２色成形する部材は固定具１０の１種類で済み、しかも固定具１０は小型かつ平板構造であるので、ヒケ等の成形不良が発生しにくく、成形サイクルも短くて済む。吊具本体については、小型かつ単一の樹脂材料で構成されるため、金型を小さくすることができ、成形サイクルも短くすることができる。さらに本実施形態の軒樋吊具１は、分割構造であるため、梱包形態の縮小化が図れるという利点もある。
【００３０】
なお、以上の実施形態では固定具１０の左右両側にそれぞれ取付孔１７が３つ、合計６つの取付孔１７を有する略矩形の６孔形状の固定具１０を用いているが、吊具本体２の吊具支持部４が挿通可能な挿通孔１１およびその周縁に吊具支持部４の係合突起４１，４２が挿通可能な切欠き部１３，１４が形成されていればこの形状に限定されるものではなく、例えば、図４に示すように、左右両側にそれぞれ円形の取付孔１７が２つ、中央下部に長孔状の取付孔１７が１つ、合計５つの取付孔を有するＴ字型の５孔形状の固定具１０であってもよい。これにより、複数ある吊具本体２との組み合わせが増え、軒樋吊具１の使用の自由度が高まる。
【符号の説明】
【００３１】
１  軒樋吊具
２  吊具本体
４  吊具支持部
４１，４２  係合突起
１０  固定具
１１  挿通孔
１３，１４  切欠き部
【図１】
2010229688.tif 000003
【図２】
2010229688.tif 000004
【図３】
2010229688.tif 000005
【図４】
2010229688.tif 000006
【図５】
2010229688.tif 000007